(57)【要約】      （修正有）【課題】個室トイレ使用後に財布等を置き忘を解決するためになされたベルト取付型財布等置き忘れ防止具を提供する。【解決手段】ズボンやパンツ等の下半身用の衣服を腰に固定するために使用するベルト６の剣先をそのベルトのバックルや遊革に通したりまたはそのベルトの剣先をバックルや遊革から抜いたりする際にその両方の行為またはどちらかの行為を妨げるはたらきを有する妨げ棒４を設けた、またはそのはたらきを有する形状の部品を設けた。【選択図】図１
2020075066.tif 000002
【特許請求の範囲】
【請求項１】
ズボンやパンツ等の下半身用の衣服を腰に固定するために使用するベルトの剣先をそのベルトのバックルや遊革に通したりまたはそのベルトの剣先をバックルや遊革から抜いたりする際にその両方の行為またはどちらかの行為を妨げるはたらきを有する棒状または板状またはその他の立体の部品を付けた部品を設けた、またはそのはたらきを有する形状の部品を設けたベルト取付型財布等置き忘れ防止具。
【請求項２】
請求項１のベルト取付型財布等置き忘れ防止具を一体化させた、ズボンやパンツ等の下半身用の衣服を腰に固定するために使用するベルト。
【発明の詳細な説明】
【技術分野】
【０００１】  本発明は、個室トイレ等に財布や携帯電話やカバン等を置き忘れたり掛け忘れたりすることを防止するベルト取付型財布等置き忘れ防止具に関するものである。
【背景技術】
【０００２】  従来、個室トイレ等に財布や携帯電話やカバン等を置き忘れたり掛け忘れたりしないように利用者個人で防止する器具はなかった。
現在、電波で財布やカバンの位置を追跡することができる装置や携帯電話の位置追跡システムがあるが、いずれも置き忘れを防止するものではない。
【先行技術文献】
【特許文献】
【０００３】
【特許文献１】該当するものはない。
【発明の概要】
【発明が解決しようとする課題】
【０００４】  財布や携帯電話等の置き忘れ防止の工夫がされていない個室トイレで、荷物置き台に財布や携帯電話等を置いたり、または出入口扉以外に設置されているフックにカバンや上着等を掛けたりする機会は多い。
用を足した後にそれらを置いたり掛けたりしたまま個室トイレを出てしまい、しばらく経ってそのことに気づき慌てて戻ったがすでになかった、ということになってしまう危険性がある。
位置追跡装置や位置追跡システムでそれらの現在位置を特定することができるとしても、自分の手元に戻すまでには多大な労力が必要となってしまう。
本発明は、以上の問題点を解決するためになされたものである。
【課題を解決するための手段】
【０００５】  ズボンやパンツ等の下半身用の衣服を腰に固定するために使用するベルトの剣先をそのベルトのバックルや遊革に通したりまたはそのベルトの剣先をバックルや遊革から抜いたりする際にその両方の行為またはどちらかの行為を妨げるはたらきを有する棒状または板状またはその他の立体の部品を付けた部品を設ける、またはそのはたらきを有する形状の部品を設ける。
以上の構成によりなるベルト取付型財布等置き忘れ防止具。
【発明の効果】
【０００６】  財布や携帯電話等の置き忘れ防止の工夫がされていない個室トイレで、荷物置き台に財布や携帯電話等を置いたり、または出入口扉以外に設置されているフックにカバンや上着等を掛けたりした時に、それらを置き忘れたり掛け忘れたりしたままトイレから出てしまう可能性を低くすることができる。
【図面の簡単な説明】
【０００７】
【図１】本発明をベルトに取り付けさらに押さえ板を外した状態を示す斜視図
【図２】本発明をベルトに取り付けさらに押さえ板を装着した状態を示す斜視図
【図３】本発明の妨げ棒を板状にした場合で押さえ板を外した状態を示す斜視図
【発明を実施するための形態】
【０００８】  以下、本発明の実施の形態を説明する。
（ア）縦およそ２センチメートルで横およそ１センチ５ミリメートルの長方形の固い板状の部品を設け、それを取付板（１）とする。
ズボンやパンツ等の下半身用の衣服を腰に固定するために使用するベルトに取付板を取り付けるため、取付板（１）に、面ファスナーを付けた厚みの薄い帯状の取付バンド（２）を二つまたはそれ以上設ける。
なお、取付バンドのかわりに、先端が針金状になっている二本以上のひも状のもの、または全体が塑性のある二本以上の針金状のもの、またはクリップや挟み具にする場合がある。
（イ）取付板（１）の一つの短辺の縁の中央部に、その縁を起点としてもう一つの短辺に向かう垂直方向に、長さがおよそ１センチ５ミリメートルほどの直線の溝を設け、これを取り外し溝（３）とする。
取り外し溝（３）については、溝の開口部の幅を狭くし、内部の幅を広くする。
（ウ）取付板（１）の、取り外し溝（３）の起点がある縁に、その縁から取付板（１）の外に斜め方向に飛び出した棒状のものを設け、これを妨げ棒（４）とする。
妨げ棒（４）を取付板に取り付ける際には、取付板（１）の取り外し溝（３）がある表面を前から見て向かって右側に斜めに飛び出るようにする。
さらに、妨げ棒（４）を取付板（１）に取り付ける際には、妨げ棒（４）と取付板（４）との接合部分を弾性のある構造にし、さらに妨げ棒（４）が取付板（１）の取り外し溝（３）がある表面を前から見て向かって左側には動かないようにストッパーを付ける。これにより、妨げ棒（４）に力を加えると、取付板（１）の取り外し溝（３）がある表面を前から見て向かって右側には妨げ棒（４）が倒れるが左側には動かないし、妨げ棒（４）に加えている力をなくすと妨げ棒（４）は元の位置に戻る。
（エ）縦がおよそ１センチ５ミリメートルで横がおよそ１センチメートルの長方形の板状のものを設け、それの短辺の縁の一つに、垂直に、取付板（１）の厚さよりやや大きい長さを短辺とし長辺をおよそ１センチメートルとする長方形の板状のものを固定して接合する。
この部品を押さえ板（５）とする。
押さえ板（５）を横から見ると、アルファベットのエルの大文字の横線を極端に短くし上下反対にした形状になる。この形状の横線と縦線は、９０度と２７０度の角を成すことになる。
押さえ板（５）を横から見た際に２７０度の角を成す方の二枚の板状のものの面を、表面とする。
そして、押さえ板（５）を横から見た際に９０度の角を成す方の二枚の板状のものの面を、裏面とする。
押さえ板（５）の接合された二枚の板状のもののうちの面積が大きい方の裏面に、もう一つの板状のものが接合されている短辺の縁の中央部を起点としてもう一方の短辺へ向かう垂直方向に、取り外し溝（３）と同じ長さで断面図が取り外し溝（３）の内縁とほぼ形で内縁よりやや小さい形状である棒状のものを接合させる。
（オ）本発明使用時には、取り外し溝（３）に、押さえ板（５）に設けた（エ）で述べた棒状のものを挿し入れたり抜いたりすることになるのだが、取り外し溝（３）に、押さえ板（５）に設けた（オ）で述べた棒状の物を深く完全に挿し入れた際に、押さえ板（５）が取付板（１）に固定されるように、取り外し溝（３）と、押さえ板（５）に設けた（エ）で述べた棒状のものにはめ込み式の突起と穴を設ける。
（カ）押さえ板（５）の二枚の板状のものの接合部の縁の中央部に、その縁から押さえ板（５）の外に斜め方向に飛び出した妨げ棒（４）を設ける。
押さえ板（５）を横から見ると、接合された二枚の板状のものはアルファベットのエルの大文字の横線を極端に短くし上下反対にした形状になる。この形状の横線と縦線は、９０度と２７０度の角を成すことになる。
押さえ板（５）を横から見た際に２７０度の角を成す方の二枚の板状のものの面を、表面とする。
そして、押さえ板（５）を横から見た際に９０度の角を成す方の二枚の板状のものの面を、裏面とする。
妨げ棒（４）は押さえ板（５）の表面に設ける。
妨げ棒（４）を押さえ板（５）に取り付ける際には、押さえ板（５）の表面を手前にして見た際に左側に斜めに飛び出るようにする。
さらに、妨げ棒（４）を押さえ板（５）に取り付ける際には、妨げ棒（４）と押さえ板（５）との接合部分を弾性のある構造にし、さらに押さえ板（５）の表面を手前にして見た際に右側に妨げ棒（４）が動かないようにストッパーを付ける。これにより、妨げ棒（４）に力を加えると、押さえ板（１）の表面を手前にして見た際に左側には妨げ棒（４）が倒れるが右側には動かないし、妨げ棒（４）に加えている力をなくすと妨げ棒（４）は元の位置に戻る。
（キ）妨げ棒（４）は棒状のものであるが、そのかわりに板状のものまたは棒状でも板状でもない立体の形状のもの、例えば直方体、にする場合もある。
板状のものまたは棒状でも板状でもない立体の形状のものにする場合でも、上記の（ウ）及び（カ）で述べたような構造にする。
本発明は以上の（ア）から（キ）のような構造である。
本発明の使用方法については、以下の（ク）から（シ）のとおりである。
（ク）ズボンやパンツ等の下半身用の衣服を腰に固定するために使用するベルトをズボンやパンツ等にあるすべてのベルトループに通し、ズボンやパンツ等を履いてみて最適な位置でベルトを留める。
そして、押さえ板（５）を取付板（１）に装着する。
具体的には、取付板（１）の取り外し溝（３）に、（エ）で述べた押さえ板（５）の棒状のものを、取り外し溝（３）の起点から、（オ）で述べたはめ込み式の突起と穴がはまるまで深く完全に差し込む。
これにより、取付板（１）の妨げ棒（４）は、押さえ板（５）に押されて、完全に横倒しの状態になる。
そして、ベルトの剣先部分のバックルと遊革の間、またはベルトの剣先部分の遊革と剣先の先端の間のいずれの表面に、取付板（１）を取り付ける。
取付板（１）をベルトに取り付ける際には、取付バンド（２）を用いて、押さえ板（５）の妨げ棒（４）を設けた縁がベルトの上縁と合わさるようにする。
（ケ）個室トイレに入ってズボンやパンツ等を脱ぐ際には、当然ベルトの剣先をバックルから外すことになる。
その際には、押さえ板（５）を取付板（１）から外さないと、押さえ板（５）の妨げ棒（４）がバックルや遊革に引っかかってしまい、ベルトの剣先をバックルや遊革から抜くことができない。
押さえ板（５）を外しても取付板（１）の妨げ棒（４）がある。しかし、ベルトの剣先をバックルや遊革から抜く際には、取付板（１）の妨げ棒（４）は横倒しになるため引っかからない。
押さえ板（５）を取付板（１）から外してから、ベルトの剣先をバックルや遊革から抜く。外した押さえ板（５）は、荷物置台に置いた財布や携帯電話のすぐそばに置いたり、フックに掛けた上着のポケットに入れたり掛けたカバンの中に入れたりする。
（コ）用を足した後ズボンやパンツ等を履いてベルトを締めることになるが、押さえ板（５）を取付板（１）に装着するのを忘れたままベルトの剣先をバックルや遊革に通そうとしても、取付板（１）の妨げ棒（４）がバックルや遊革に引っかかってしまう。
これで、押さえ板（５）を取付板（１）に装着し忘れることを防ぐことができる。
押さえ板（５）を取付板（１）に装着する。
具体的には、取付板（１）の取り外し溝（３）に、（エ）で述べた押さえ板（５）の棒状のものを、取り外し溝（３）の起点から、（オ）で述べたはめ込み式の突起と穴がはまるまで深く完全に差し込む。
これで、取付板（１）の妨げ棒（４）は完全に横倒しになり、ベルトの剣先をバックルや遊革に通す際に妨げ棒（４）は引っかからない。
押さえ板（５）の妨げ棒（４）があるが、これはベルトの剣先をバックルや遊革に通す際に横倒しになるため引っかからない。
その後、ベルトの剣先をバックルや遊革に通し、ベルトを最適な位置で締める。
押さえ板（５）を荷物置場から取ったりフックに掛けた上着やカバンから取り出す際に、荷物置場に置いた物やフックに掛けた物に注意が向くため、置き忘れや掛け忘れの可能性をかなり低くすることができる。
（サ）いったんベルトに取付板（１）を取り付けたら、そのベルトを使用しなくなるまで取付板（１）を取り付けたままでおく。
（シ）本発明は個室トイレで財布等をそのまま忘れて出てしまうことを防止するものであるが、自宅にて、明日必ず職場や学校に持って行かなくてはならない大きな物を忘れないようにするために使用することもできる。
帰宅しズボンやパンツ等を脱ぐためにベルトの剣先をバックルや遊革から抜く際に、押さえ板（５）を明日必ず職場や学校に持って行かなくてはならない大きな物のすぐそばに置いておく。
そうすれば、それらを持って行くことを忘れる可能性をかなり低くすることができる。
本発明の構造については、以下のような構造にする場合もある。
（ス）押さえ板（５）についてであるが、押さえ板（５）にクリップまたはひも状または輪ゴム状または帯状またはワイヤー状の部品を設け、忘れてはいけない物に確実に押さえ板（５）を付けることができるような構造にする。
そうすると、押さえ板（５）をその物から外す行為をしなくてはならないため、より大きな注意がその物に向くようになる。
（セ）押さえ板（５）についてであるが、妨げ棒（４）を設けずに、押さえ板の二枚の板状のもののうちの面積の大きい方の長辺を長くしてベルトの下縁から大きくはみ出るような構造にする場合がある。
このような構造の場合、押さえ板の二枚の板状のもののうちの面積の大きい方自身が邪魔になり、押さえ板を外さないとベルトの剣先をバックルや遊革から抜くことができない。
取付板（１）の妨げ棒（４）は設けない。
このような構造の場合には、妨げ棒（４）を設ける場合に比べて、構造が簡単であり、より安価で提供することができるようになる。
ただ、ベルトを締めた後に押さえ板（５）を取付板（１）に装着するのを忘れてしまう可能性があるため、取付板（１）のデザインを、押さえ板（５）を装着しないと違和感が大きく他人からの見た目も悪いようなものにするとよい。
（ソ）前の（セ）で述べた場合で、取付板（１）を設けず、押さえ板（５）にクリップまたは挟み具を設けて、押さえ板（５）を直接ベルトに装着するような構造にする場合がある。
押さえ板（５）を横から見ると、接合された二枚の板状のものはアルファベットのエルの大文字の横線を極端に短くし上下反対にした形状になる。この形状の横線と縦線は、９０度と２７０度の角を成すことになる。
押さえ板（５）を横から見た際に２７０度の角を成す方の二枚の板状のものの面を、表面とする。
そして、押さえ板（５）を横から見た際に９０度の角を成す方の二枚の板状のものの面を、裏面とする。
クリップや挟み具を設けるのは、押さえ板（５）の裏面である。
クリップや挟み具を設ける際には、押さえ板（５）を装着したベルトの箇所がベルトのバックルや遊革を通すのに支障のないようなクリップや挟み具の大きさ及び構造とする。
この場合、押さえ板（５）を装着するベルトの箇所は、ベルトの剣先部分のバックルと遊革の間、またはベルトの剣先部分の遊革と剣先の先端の間のいずれの表面である。
この場合には、用を足した後に押さえ板（５）をベルトに装着し忘れてしまう可能性が高くなってしまうが、（セ）の場合よりもより構造が簡単でありより安価に提供することができる。
（タ）本発明は既製のベルトに取り付けるものであるが、もとから本発明を一体化させたベルトを作製する場合もある。
この場合には、取付バンド（２）は不要となり、取付板（１）をベルトの剣先のうち先端ではない部分に接着させる。
ただし、（ソ）で述べた構造の場合には、これには該当しない。
【符号の説明】
【０００９】１  取付板、２  取付バンド、３  取り外し溝、４  妨げ棒、５  押さえ板、
６  ベルト
【図１】
2020075066.tif 000003
【図２】
2020075066.tif 000004
【図３】
2020075066.tif 000005